(57)【要約】      （修正有）【課題】血漿分離器と血漿分離器の機能を一つのモジュールで実現し、全血から一気に血漿高分子成分を除去できる血漿浄化装置を提供する。【解決手段】血漿分離部８と血漿成分分離部９を有する血漿浄化装置であって、血漿分離部８は容器に充填された中空糸状血漿分離膜８と、血漿分離膜の両端を容器に保持して血漿分離膜内側室と血漿分離膜外側室を形成するポッティング部と、血漿分離膜内側室に通じる、容器に形成された血液入口１と血液出口５と、血漿成分分離膜内側室に通じる、容器に形成された濾過血漿出口６から成り、血漿分離膜外側室と血漿成分分離膜外側室は連通し、血液入口１には送血回路の一端が接続され、血液出口５には返血回路１４の一端が接続され、濾過血漿出口６には返血漿回路１５の一端が接続され、返血漿回路１５の他端は返血回路１４に接続されている。【選択図】図１
2007082818.tif 000002
【特許請求の範囲】
【請求項１】
血液を血球と血漿とに分離する血漿分離部と該血漿を高分子成分と低分子成分に分離する血漿成分分離部を有する血漿浄化装置であって、
該血漿分離部は容器に充填された中空糸状血漿分離膜と、
該血漿分離膜の両端を該容器に保持して該血漿分離膜内側室と該血漿分離膜外側室を形成するポッティング部と、
前記血漿分離膜内側室に通じる、該容器に形成された血液入口と血液出口から成り、
前記血漿成分分離部は該容器に充填された中空糸状血漿成分分離膜と、
該血漿成分分離膜の両端を該容器に保持して該血漿成分分離膜内側室と該血漿成分分離膜外側室を形成するポッティング部と、
該血漿成分分離膜内側室に通じる、該容器に形成された濾過血漿出口から成り、
前記血漿分離膜外側室と前記血漿成分分離膜外側室は連通し、
前記血液入口には送血回路の一端が接続され、前記血液出口には返血回路の一端が接続され、前記濾過血漿出口には返血漿回路の一端が接続され、該返血漿回路の他端は該返血回路に接続されている
ことを特徴とする血漿浄化装置。
【請求項２】
前記容器内に円筒隔壁が設けられ、該隔壁の内側には前記中空糸状血漿分離膜が配され、該隔壁の外側には前記中空糸状血漿成分分離膜が配されていることを特徴とする、請求項１記載の血漿浄化装置。
【請求項３】
前記容器内に平面隔壁が設けられ、該隔壁の一方には前記中空糸状血漿分離膜が配され、該隔壁の他方には前記中空糸状血漿成分分離膜が配されていることを特徴とする、請求項１記載の血漿浄化装置。
【請求項４】
前記血液入口に牛血液を１００ｍｌ／分の流速で導入し、前記濾過血漿出口から濾過血漿を３０ｍｌ／分の流速で１リットル得た時、該濾過血漿のアルブミン透過率が６０％以上、ＩｇＭ透過率が５０％未満、ＬＤＬ透過率が４０％未満であることを特徴とする、請求項１から３のいずれかに記載の血漿浄化装置。
【請求項５】
前記送血回路は送血ポンプとの接続回路を有し、前記返血漿回路は返血漿ポンプとの接続回路を有していることを特徴とする、請求項１から４のいずれかに記載の血漿浄化装置。
【請求項６】
前記血漿成分分離膜外側室または前記血漿成分分離膜内側室を加圧および／または減圧する圧力調整部と、該血漿成分分離膜内側室の圧力調整部上流側の圧力を検知する圧力モニターを有し、該圧力モニターの圧力が設定値以下になったときに前記圧力調整部を作動させて、前記血漿成分分離膜外側室を減圧および／または前記血漿成分分離膜内側室を加圧することを特徴とする、請求項１から５のいずれかに記載の血漿浄化装置。
【発明の詳細な説明】
【技術分野】
【０００１】
本発明は血漿浄化装置に関する。
【背景技術】
【０００２】
近年、体外循環血液浄化療法の一つとして血漿交換療法が進歩し、なかでも二重濾過血漿交換が盛んに行われるようになってきている。これはまず、血漿分離器を用いて患者の血液を血球成分と血漿成分に分離し、分離した血漿中の病因物質をさらに血漿成分分離器を用いて、除去するものである。この際に使用される血漿分離器に用いられる膜としては例えば特許文献１にポリエチレン中空糸にエチレンビニルアルコールをコーティングした膜が開示されており、血漿成分分離器に用いられる血漿成分分離膜としては、例えば特許文献２には分画性能に優れたエチレンビニルアルコール系血漿成分分離膜が記載されている。血漿成分分離器によって除去される血漿成分中の病因物質は原疾患により異なるが、例えば免疫複合体、抗体、血液増粘成分であるフィブリノーゲン、コレステロールが挙げられ、これらの病因物質を除去する事により悪性リウマチ、全身性エリトマトーデス、高脂血症等の治療に効果を挙げている。血漿成分分離器に求められる特性として、これら病因物質を除去し、アルブミンやイムノグロブリン（IｇG）等の有用蛋白を透過させる優れた分画性能の他に、長時間の使用中に性能が低下しないことが挙げられる。
現在の技術では、二重濾過血漿交換を行う場合、血漿分離器と血漿成分分離器をそれぞれ準備し、複雑な回路をつなぎ、非常に煩雑な操作をする必要がある（例えば、非特許文献１）。これら煩雑な操作を解決するためには、一つの分離器で血漿分離機能と血漿成分分離機能を持たす事が理想であるが、現在製品開発に至っていない。これは血漿分離と血漿成分分離では求められる特性が大きく違うためであると思われる。
ここで、異なる孔径の中空糸束を一つの容器に収納した例としては特許文献３及び４が挙げられるが、これは、一方の端を閉塞した2種類の中空糸を用い、一方の中空糸束で腹水からの除菌・除癌細胞を行い、もう一方の中空糸束で濃縮を行うという例であり、本発明の血漿中の高分子物質を除去するものとは異なる。そのため、本発明とは中空糸膜の構成及び流体回路等の構成が異なり、血球を含む全血を流す事ができず、血液を連続的に血漿に分離し、かつ、血漿中の血漿成分の一部を連続的に除去するという用途に応用する事はできない。
【特許文献１】特開昭６１−２７１００３
【特許文献２】特開昭５８−１５５８６５
【特許文献３】特開昭５３−８９８８５
【特許文献４】特開昭５３−８９８８６
【非特許文献１】CE  技術シリーズ  血液浄化療法、秋葉隆、峰島三千男、ｐ228（南江堂）
【発明の開示】
【発明が解決しようとする課題】
【０００３】
本発明は前記従来技術の問題点に鑑みて、血漿分離器と血漿分離器の機能を一つのモジュールで実現し、モジュールを一本だけ用いて、全血から一気に血漿高分子成分を除去できるモジュール（血漿浄化装置）を提供することを目的とする。
【課題を解決するための手段】
【０００４】
本発明者らは、血漿分離機能を有する中空糸膜と血漿成分分離機能を有する中空糸膜を一つの容器の中に挿入し、直接二重濾過血漿交換を行う事が可能な血漿浄化装置を提供できる事を見出し、本発明を完成するに至った。即ち、本発明は以下の構成を有する。
（１）血液を血球と血漿とに分離する血漿分離部と該血漿を高分子成分と低分子成分に分離する血漿成分分離部を有する血漿浄化装置であって、
該血漿分離部は容器に充填された中空糸状血漿分離膜と、
該血漿分離膜の両端を該容器に保持して該血漿分離膜内側室と該血漿分離膜外側室を形成するポッティング部と、
前記血漿分離膜内側室に通じる、該容器に形成された血液入口と血液出口から成り、
前記血漿成分分離部は該容器に充填された中空糸状血漿成分分離膜と、
該血漿成分分離膜の両端を該容器に保持して該血漿成分分離膜内側室と該血漿成分分離膜外側室を形成するポッティング部と、
該血漿成分分離膜内側室に通じる、該容器に形成された濾過血漿出口から成り、
前記血漿分離膜外側室と前記血漿成分分離膜外側室は連通し、
前記血液入口には送血回路の一端が接続され、前記血液出口には返血回路の一端が接続され、前記濾過血漿出口には返血漿回路の一端が接続され、該返血漿回路の他端は該返血回路に接続されている
ことを特徴とする血漿浄化装置。
（２）前記容器内に円筒隔壁が設けられ、該隔壁の内側には前記中空糸状血漿分離膜が配され、該隔壁の外側には前記中空糸状血漿成分分離膜が配されていることを特徴とする、上記（１）記載の血漿浄化装置。
（３）前記容器内に平面隔壁が設けられ、該隔壁の一方には前記中空糸状血漿分離膜が配され、該隔壁の他方には前記中空糸状血漿成分分離膜が配されていることを特徴とする、上記（１）記載の血漿浄化装置。
（４）前記血液入口に牛血液を１００ｍｌ／分の流速で導入し、前記濾過血漿出口から濾過血漿を３０ｍｌ／分の流速で１リットル得た時、該濾過血漿のアルブミン透過率が６０％以上、ＩｇＭ透過率が５０％未満、ＬＤＬ透過率が４０％未満であることを特徴とする、上記（１）から（３）のいずれかに記載の血漿浄化装置。
（５）前記送血回路は送血ポンプとの接続回路を有し、前記返血漿回路は返血漿ポンプとの接続回路を有していることを特徴とする、上記（１）から（４）のいずれかに記載の血漿浄化装置。
（６）前記血漿成分分離膜外側室または前記血漿成分分離膜内側室を加圧および／または減圧する圧力調整部と、該血漿成分分離膜内側室の圧力調整部上流側の圧力を検知する圧力モニターを有し、該圧力モニターの圧力が設定値以下になったときに前記圧力調整部を作動させて、前記血漿成分分離膜外側室を減圧および／または前記血漿成分分離膜内側室を加圧することを特徴とする、上記（１）から（５）のいずれかに記載の血漿浄化装置。
【発明の効果】
【０００５】
従来の技術では、二重濾過血漿交換を行う場合、血漿分離器と血漿成分分離器を複雑な回路でつなぎ、非常に煩雑な操作をする必要があったが、本発明により、モジュールを一本だけ用いて、全血から一気に血漿高分子成分を除去できる血漿浄化装置を提供でき、二重濾過血漿交換療法を簡便な方法で行う事が可能となった。
【発明を実施するための最良の形態】
【０００６】
以下、本発明について詳細に説明する。
本発明の中空糸膜の材質は特に限定しないが、ポリスルホン、ポリエーテルスルホン、ポリスルホンとポリビニルピロリドンのブレンド膜、エチレン−ビニルアルコール共重合体、ポリエチレン、ポリプロピレン、ポリアクリロニトリル、ポリアミド、ポリメチルメタクリレート、等が好適に用いられ、公知の方法で紡糸される。また、これら中空糸膜に親水性を上げるなどの理由で、親水化剤のコーティング等をほどこしても良い。
【０００７】
本発明の血漿分離膜は中空糸膜からなり、血漿は透過させるが、血球は通さない機能を有する。孔径範囲としては０．１μｍ〜０．５μｍ程度であり、バブルポイント等で測定できる。中空糸膜内径は１５０μｍ以上５００μｍ以下が好ましい。中空糸内径が１５０μｍ未満では血液の流れ抵抗が高すぎ、特に血流量が高い時に、膜間差圧が大きくなりすぎ、溶血の危険性が増す。一方、内径が５００μｍを越えると、剪断速度が低くなりすぎ、十分な採漿量が取れない。特に好適な内径範囲は１８０μｍ以上４００μｍ以下である。
【０００８】
本発明で血漿成分分離膜とは血漿を所望の成分に分離する膜をいい、主に高分子成分と低分子成分に分離する膜のことであり、本発明の血漿成分分離膜の膜厚は４０μｍ以上２００μｍ以下が好ましい。膜厚が４０μｍ未満では血漿蛋白による目詰まりが早くなり、２００μｍを超えると、充填できる中空糸の本数が限られ、必要量充填する場合は容器が大きくなってしまうからである。中空糸膜の構造は中空糸内表面側から外表面側にかけて孔径が大きくなる傾斜構造でも、内表面側から外表面側にかけて孔径が小さくなる逆傾斜構造でも、内表面側から外表面側にかけて孔径が均一な均質膜でも構わない。
【０００９】
本発明の血漿成分分離膜では、血液から分離された血漿成分中の有用物質を失う事なく、病因物質を除去する事が重要である。例えば、アルブミン等の有用物質（低分子成分）は血漿成分分離膜を透過し、ＬＤＬ等の血漿高分子成分は血漿成分分離膜を透過しない膜を用いる場合が挙げられる。有用物質と病因物質は疾患により異なり、限定されないが、より具体的には、アルブミンやＩｇＧ等の有用成分は血漿成分分離膜を透過させ、血液増粘成分であるフィブリノーゲンやそれより大きな分子量のＩｇＭやＬＤＬは捕捉するケース、あるいは、アルブミンやＩｇＧ、フィブリノーゲンは血漿成分分離膜を透過させ、高脂血漿の原因物質であるＬＤＬを捕捉するケースなどがある。
【００１０】
本発明では、前者の場合、アルブミン及びＩｇＧの透過率は６０％以上が好ましく、より好ましくは８０％以上、さらに好ましくは９０％以上である。一方、フィブリノーゲンの透過率は６０％未満であることが好ましく、より好ましくは５０％未満、さらに好ましくは３０％未満である。また、ＩｇＭの透過率は５０％未満が好ましくより好ましくは４０％未満さらに好ましくは３０％未満である。また、ＬＤＬの透過率は４０％未満が好ましく、より好ましくは３０％未満、さらに好ましくは２０％未満である。
【００１１】
後者の場合はアルブミン及びＩｇＧの透過率は６０％以上が好ましく、より好ましくは８０％以上、さらに好ましくは９０％以上、フィブリノーゲンの透過率は５０％以上、より好ましくは６０％以上、更に好ましくは６５％以上、ＩｇＭの透過率は５０％未満が好ましく、より好ましくは４０％未満、さらに好ましくは３０％未満である。また、ＬＤＬの透過率は４０％未満が好ましく、より好ましくは３０％未満、更に好ましくは２０％未満である。
【００１２】
尚、ここでいうアルブミン、ＩｇＧ、ＩｇＭ、ＬＤＬの透過率は以下に示す方法により、求められる。まず、牛血液２００ｍｌに対し３０ｍｌの割合で抗凝固剤であるＡＣＤ−Ａ液を添加し、牛血液の採取を行う。次にヘマトクリットを測定し、３５％になるように調整する。調整の方法は同一の牛血液を遠心分離し、ヘマトクリットが低い場合は血球成分を、ヘマトクリットが高い場合は血漿成分を加えて行う。次に、本発明の血漿浄化装置に血液流量１００ml／分で牛血液を流し、濾過側より３０ｍｌ／分の濾過液が取れるようにポンプで吸引する。１リットルの濾液が得られた時点で、該濾液１リットルに含まれる夫々の濃度を測定する。一方、濾過前の血漿中の濃度は、同一の牛血液を遠心分離して得られた血漿中の各溶質濃度を用いる。透過率は以下の式に従い求める。
透過率（％）＝（濾過血漿中の濃度／濾過前血漿中の濃度）×１００
【００１３】
濃度測定には、アルブミン、ＩｇＧ、ＩｇＭはＢｅｈｒｉｎｇ Ｎｅｐｈｅｌｏｍｅｔｅｒ−Ａｎａｌｙｚｅｒ ＢＭ（デイド ベーリング（株）社製）を用いて免疫比濁法によって測定し、フィブリノーゲンはフィブリノーゲン−トロンビン時間法により測定した。一方、ＬＤＬの測定はデタミナーＬ  ＬＤＬ−Ｃを用いた選択的可溶化法（協和メディクス（株））を用いて行った。
【００１４】
以下、図面を参照しながら、本発明に係る血液浄化装置の好ましい実施の態様を説明する。図１は、本発明の血漿浄化装置の一例を示す模式図である。図２は、本発明の血漿浄化装置の別の例を示す模式図である。図３は、図１のＡ−Ａ線によるカラム断面を模式的に示した図である。図４は、血漿分離膜の内側室と外側室、及び血漿成分分離膜の内側室と外側室の関係を説明するために、図３の血漿分離膜１本と血漿成分分離膜1本を拡大して模式的に示した図である。
【００１５】
図４において、カラム容器内に円筒隔壁が設けられ、隔壁の内側には血漿分離膜が配され、隔壁の外側には血漿成分分離膜が配されている。ここで、血漿分離膜８の内側室２１とは、カラム容器２５と円筒隔壁７とポッティング部２０で囲まれた円筒隔壁内側の空間と血漿分離膜８の中空部分を指し、血漿成分分離膜９の内側室２３とは、カラム容器２５と円筒隔壁７とポッティング部２０で囲まれた円筒隔壁外側の空間と血漿成分分離膜９の中空部分を指す。更に図４で血漿分離膜８の外側室２２ａとは、カラム容器２５と２つのポッティング部２０に囲まれた空間の内、血漿分離膜８の外側の空間を指し、血漿成分分離膜９の外側室２２ｂとは、カラム容器２５と２つのポッティング部２０に囲まれた空間の内、血漿成分分離膜９の外側の空間を指す。血漿分離膜８の外側室２２ａと血漿成分分離膜９の外側室２２ｂとは連通している。すなわち、該外側室２２ａと該外側室２２ｂの間は液体が自由に移動できるような構成でなければならず、液体の移動を妨げるような隔壁を設けてはならないが、必要ならメッシュ、スリット、パンチング孔などを設けて血漿成分が通過できるようにした円筒隔壁を設けても良い。なお、両ポッティング部の外側の部分は、液体の隔壁の通過ができないように構成されている。
【００１６】
本発明の図１（及び図４）の血漿浄化装置を用いて、全血から血漿高分子成分が除去できるまでの流れを説明する。まず、全血が送液ポンプ１７により送液回路１３を通って血液入口１よりカラム容器２５内に配置された血漿分離膜８内に導入される。全血は、血漿分離膜８内を通過している間に血漿成分は血漿分離膜を通過して、血漿分離膜外側室２２ａへと移動し、血球成分は血漿分離膜内側室を通って、血液出口５からカラム容器の外へ排出され、返血回路１４へと移動する。血漿分離膜外側室２２ａへと移動した血漿は、隔壁を通過し、血漿成分分離膜外側室２２ｂへと移動する。血漿のうち、低分子成分は、血漿成分分離膜を通過して、血漿成分分離膜内側室２３へと移動し、濾過血漿出口を通って、カラム容器外へ排出され、返血漿回路へと移動する。一方、高分子成分は血漿成分分離膜を通過できず、血漿成分分離膜外側室に濃縮される。
【００１７】
本願発明の血液浄化装置１２では、濾過血漿出口６に接続された返血漿回路１５が血液出口５に接続された返血回路１４と接続されている。この構成によって、１本のカラムで血液から血漿中の高分子物質を除去して、赤血球や白血球の血球成分と血漿中の低分子物質を連続的に回収するという濾過操作を行うことが可能となった。
【００１８】
本願発明では返血漿回路１５と濾過血漿出口６の接続部付近の圧力をセンサー１６を用いて検知する。血漿成分分離膜９が目詰まりを起こした場合、返血漿ポンプ１９の能力に血漿成分分離膜９の濾過能力がついていけず、陰圧になる。このまま、操作を続けても採血漿量は低下するため、目詰まりを除去する操作をする必要がある。本願発明では上記状態に陥った場合、圧力調整部１９のポンプを逆回転させ、血漿成分分離膜に目詰まりした血漿蛋白等を逆洗するとともに、圧力調整部１８のポンプを作動させて減圧にし強制的な流れを発生させ、逆洗された血漿蛋白等を血漿分離膜外側室２２ａおよび血漿成分分離膜外側室２２ｂの血漿成分分離膜外室全体に希釈するとともに、該血漿成分分離膜の外表面側を清浄な状態に戻す事により、血漿成分分離膜の目詰まりを解消し膜の寿命を延ばす事ができる。この時、より効果を増すために、圧力調整部１８及び１９のポンプの加圧、減圧を繰り返す事が望ましい。
以下に実施例を用いて本発明を詳細に説明するが、本発明はこれにより何ら限定されるものではない。
【実施例１】
【００１９】
旭化成メディカル社製血漿分離器Plasmaflo OP-05W（LOT  05575Z、膜材はポリエチレン、親水化剤はエチレンビニルアルコール、平均孔径は0.3μｍ）及び、旭化成メディカル社製血漿成分分離器Rheofilter  AR-2000（LOT  45ZQ1E-３、膜材はセルロースジアセテート）を解体し、血漿分離膜１８００本を図1に示す容器の中央部、血漿が通過する中空円筒状隔壁の内側に挿入し、血漿成分分離膜８２００本を上記隔壁の外側に挿入し、ウレタン系ポッティング材を用いて束端を固定し、キャップを取り付け、更に送血回路、返血回路、返血漿回路を取り付けて血漿浄化装置を得た。血漿分離膜部分の膜面積は０．３ｍ2、血漿成分分離膜部分の膜面積は１．４ｍ2であった。
得られた血漿浄化装置の性能試験は次のようにして行った。得られた血漿浄化装置の血漿分離膜内側室に送血回路を通してヘマトクリットを３５％に調整したＡＣＤ−Ａ加牛血を１００ｍｌ／分の流量で導入し、血漿成分分離膜内側室から返血漿回路を通して３０ｍｌ／分の濾過血漿が取れるように返血漿ポンプで吸引した。濾過血漿が１リットルに達した時点で、プールした濾過血漿を採取し、濾過前後でのアルブミンとフィブリノーゲンの濃度を測定し、透過率を算出した。結果を表１に示す。
【実施例２】
【００２０】
図２に示す容器の平面隔壁で仕切られた空間のうち、血漿が通過する一方の空間に血漿分離膜１８００本を挿入し、他方の空間に血漿成分分離膜８２００本を挿入した以外は実施例１と同じ方法で血漿浄化装置を得た。血漿分離膜部分の膜面積は０．３ｍ2、血漿分離膜部分の膜面積は１．４ｍ2であった。
以下、実施例２〜４で得られた血漿浄化装置の性能試験は実施例１と同様の方法で行い、測定結果を表１に示す。
【実施例３】
【００２１】
旭化成メディカル社製血漿分離器Plasmaflo OP-05W（LOT  05575Z）及び、旭化成メディカル社製血漿成分分離器Cascadeflo  EC-30W（LOT  45ZQ1E-３、膜材はエチレン・ビニルアルコール共重合体）を解体し、血漿分離膜１８００本を図1に示す容器の中央部、血漿が通過する中空円筒状隔壁の内側に挿入し、血漿成分分離膜１０５００本を上記隔壁の外側に挿入し、ウレタン系ポッティング材を用いて束端を固定し、キャップを取り付け、更に送血回路、返血回路、返血漿回路を取り付けて血漿浄化装置を得た。血漿分離膜部分の膜面積は０．３ｍ2、血漿分離膜部分の膜面積は１．０ｍ2であった。
【実施例４】
【００２２】
図２に示す容器に血漿分離膜と血漿成分分離膜を挿入した以外は実施例３と同じ方法で血漿浄化装置を得た。血漿分離膜部分の膜面積は０．３ｍ2、血漿分離膜部分の膜面積は１．０ｍ2であった。
【００２３】
【表１】
2007082818.tif 000003
【実施例５】
【００２４】
実施例４の牛血処理を継続して行った所、１Ｌ処理時の血漿成分分離膜の圧力モニター１６は５ｍｍＨｇであったが、２．７Ｌ処理時には−１１０ｍｍＨｇまで陰圧となった。圧力調整部１８及び１９により、加圧、減圧を繰り返し、血漿成分分離膜上に堆積した血漿蛋白成分を除去する操作を行った所、圧力モニター値が１ｍｍＨｇまで回復した。その後操作を継続し、４．０Ｌ処理時点での膜間差圧は−８８ｍｍＨｇであった。
【産業上の利用可能性】
【００２５】
従来の技術では、二重濾過血漿交換を行う場合、血漿分離器と血漿成分分離器を複雑な回路でつなぎ、非常に煩雑な操作をする必要があったが、本発明の血漿浄化装置を用いる事で二重濾過血漿交換療法を一本のモジュールで行う事が可能となった。本発明は、医療現場における安全で低コストで操作性に優れた効率の良い二重濾過血漿交換療法の実現に貢献するものである。
【図面の簡単な説明】
【００２６】
【図１】本発明の血漿浄化装置の一例を示す模式図である。
【図２】本発明の血漿浄化装置の別の例を示す模式図である。
【図３】図１のＡ−Ａ線によるカラム断面を模式的に示した図である。
【図４】血漿分離膜の内側室と外側室、及び血漿成分分離膜の内側室と外側室の関係を説明するために、図３の血漿分離膜１本と血漿成分分離膜1本を拡大して模式的に示した図である。
【符合の説明】
【００２７】
１  血液入口
２  圧力モニターの接続口
３  圧力調整部の接続口
４  圧力調整部の接続口
５  血液出口
６  濾過血漿出口
７  円筒隔壁
８  血漿分離膜
９  血漿成分分離膜
１０  平面隔壁
１１  圧力調整ライン
１２  血液浄化装置
１３  送血回路
１４  返血回路
１５  返血漿回路
１６  圧力モニター
１７  送液ポンプ
１８  圧力調整部（血漿成分分離膜外側室を加圧または／及び減圧するポンプ）
１９  圧力調整部（血漿成分分離膜内側室を加圧または／および減圧するポンプ、返血漿ポンプを兼ねる）
２０  ポッティング部
２１  血漿分離膜内側室
２２ａ  血漿分離膜外側室
２２ｂ  血漿成分分離膜外側室
２３  血漿成分分離膜内側室
２４  圧力モニターライン
２５  カラム容器
【図１】
2007082818.tif 000004
【図２】
2007082818.tif 000005
【図３】
2007082818.tif 000006
【図４】
2007082818.tif 000007